(57)【要約】【課題】画面全域に渡って均一な画像を常時表示できる画像表示装置を提供する。【解決手段】信号入力手段２１は、処理しやすい方式に変換した複合画像信号Ｖｉを表示用信号生成手段２２に出力する。表示用信号生成手段２２は、複合画像信号Ｖｉに対し、表示手段２４で表示するのに適した信号に変換を行う。装置状態検出手段３２では、表示装置の状態を検出する。演算手段３３は、装置状態検出手段３２から入力された装置状態情報Ｄｔに基づいて、ムラの補正を行うべき量Ｃｔを求めてムラ補正手段３１に出力する。ムラ補正手段３１は、表示用信号生成手段２２から入力された画像信号Ｖｓに対し、表示手段２４で表示する位置に対応したムラの補正量Ｃｔに基づいて画像信号を補正し、表示手段２４で使用可能な信号形式に変換して出力する。【選択図】図１
2007178709.tif 000002
【特許請求の範囲】
【請求項１】
複数のフレームからなる画像信号、その画像信号に対応する同期信号よりなる複合画像信号を受信し、それぞれの信号を出力する信号入力手段と、
前記信号入力手段から入力された信号を表示素子で表示可能な信号に変換する表示用信号生成手段と、
表示素子のムラを補正するためのムラ補正手段と、
表示装置の状態を検出する装置状態検出手段と、
前記装置状態検出手段の検出結果に基づいて前記ムラ補正手段を制御する信号を出力する演算手段と、
前記ムラ補正手段によって補正された複合画像信号を受信し、該複合画像信号から正味の画像信号を取り出して表示する表示手段とを備えることを特徴とする画像表示装置。
【請求項２】
前記装置状態検出手段は、装置の向きを検出する装置向き検出手段を有することを特徴とする請求項１に記載の画像表示装置。
【請求項３】
前記装置状態検出手段は、装置の温度を検出する装置温度検出手段を有することを特徴とする請求項１または２に記載の画像表示装置。
【請求項４】
前記装置状態検出手段は、装置の動作時間を検出する装置動作時間検出手段を有することを特徴とする請求項１から３の何れか一項に記載の画像表示装置。
【請求項５】
前記演算手段は、予め装置状態に応じたムラ補正条件を記憶する記憶手段を持ち、当該補正条件と装置状態検出手段で検出した装置の状態を比較し、最適なムラ補正条件を選択して出力することを特徴とする請求項１から４の何れか一項に記載の画像表示装置。
【請求項６】
前記演算手段は、予め装置状態に応じたムラ補正条件の一部を記憶する記憶手段を持ち、当該補正条件と装置状態検出手段で検出した装置の状態を比較し、近似の装置状態における補正条件同士から演算することで最適なムラ補正条件を出力することを特徴とする請求項１から４の何れか一項に記載の画像表示装置。
【請求項７】
前記演算手段は、予め装置状態に応じたムラ補正条件を導き出す演算式を記憶する記憶手段を持ち、装置状態検出手段で検出した装置の状態に基づいて、最適なムラ補正条件を演算で導き出し出力することを特徴とする請求項１から４の何れか一項に記載の画像表示装置。
【請求項８】
前記演算手段は、ムラ補正量を変更するタイミングを外部から得るための入力手段を有することを特徴とする請求項１から７の何れか一項に記載の画像表示装置。
【請求項９】
前記演算手段は、前記装置状態検出手段の検出結果を監視し、表示手段で発生するムラを軽減するようにムラ補正手段を常時制御することを特徴とする請求項１から７の何れか一項に記載の画像表示装置。
【請求項１０】
前記演算手段は、装置状態検出手段の検出結果を監視し、装置の状態が前回補正を実施した際の装置状態から一定量の差が出たときに、表示手段で発生するムラを軽減するように補正するようにムラ補正手段を制御することを特徴とする請求項１から７の何れか一項に記載の画像表示装置。
【請求項１１】
前記演算手段は、外部から与えられた制御信号と、装置状態検出手段の検出結果とに基づいて表示手段で発生するムラを軽減するようにムラ補正手段を制御することを特徴とする請求項１から７の何れか一項に記載の画像表示装置。
【発明の詳細な説明】
【技術分野】
【０００１】
この発明はパーソナルコンピュータ（以下、ＰＣという）などで使用される所定のフォーマットを有する画像信号をＰＣなどの画像信号発生装置から受信し、受信した信号を液晶、ＣＲＴ、プラズマディスプレイあるいはエレクトロルミネッセンスなどの表示デバイスに表示するための画像表示装置に関する。
【背景技術】
【０００２】
図６は意図した画像を表示するために用いられる画像表示システムを示す図であり、この図において、この画像表示システムは画像信号発生装置１１と、画像信号発生装置１１に含まれる画像信号発生手段１２と、画像表示装置１３とで構成される。
【０００３】
図６において、画像信号発生装置１１は内部に画像信号発生手段１２を持ち、画像信号発生手段１２で発生させた画像信号を出力する。画像信号発生装置１１から出力された画像信号は、画像表示装置１３に表示される。
【０００４】
図７は上記の従来の画像表示システムに用いられる画像表示装置１３の内部構成を示すブロック図である。図７においてこの画像表示装置は信号入力手段２１と、表示用信号生成手段２２と、ムラ補正手段２３と、表示手段２４とで構成される。
【０００５】
次に図７に示す画像表示装置の動作について図６および図７を用いて説明する。図６で示したように画像信号発生装置１１より出力された画像信号は、画像表示装置１３に入力される。このとき、図７で示したように、画像表示装置に入力された画像信号は、信号入力手段２１に入力される。
【０００６】
信号入力手段２１は、所定のフォーマットで受信した画像信号を本画像表示装置内で処理のしやすいようなフォーマットに変換し、表示用信号生成手段２２に出力する。一般的にはアナログ画像信号をデジタル信号に変換するアナログーデジタル変換器や、シリアルデジタル信号をパラレルデジタル信号に変換するデジタル信号処理回路などがこれにあたる。
【０００７】
表示用信号生成手段２２は、信号入力手段２１から出力された画像信号を受信し、表示手段２４で表示可能な画像信号に変換して出力する。具体的には画像信号の解像度や周波数を表示素子で表示可能なように変換する。
【０００８】
ムラ補正手段２３は、表示用信号生成手段２２で生成された画像信号に対し、表示位置ごとに補正量を設定して補正して出力する。補正の手段としては、画像信号そのものを乗算器に通して乗算量を表示位置ごとに変える方法や、ルックアップテーブルを用いて表示位置に相当する補正量を画像信号に加減算する方法がある。
【０００９】
ここではムラ補正手段２３を表示用信号生成手段２２の後段に記載しているが、ムラ補正手段２３を表示用信号生成手段２２の前段に置いても同様の効果が得られる。また、その他の補正の手段として、液晶などの透過型表示装置においては光源を位置毎に制御することでムラを補正する手段もあり、その場合には画像信号そのものの補正は行わないため、画像信号の流れとは別に置かれることになる。
【００１０】
ただし、この後の説明では説明を容易にするために、前段で説明したムラ補正手段２３が表示用信号生成手段２２の後段にあることを前提として説明する。動作については特記しない限り前記したほかの手段でも同様である。
【００１１】
表示手段２４は、ムラ補正手段２３から出力された画像信号を受信し表示する。
【特許文献１】特開平１１−１０９８８５号公報
【発明の開示】
【発明が解決しようとする課題】
【００１２】
しかしながら、従来の画像表示装置では、表示に用いる素子によって画面上にムラが発生し、均一な表示ができないという課題があった。このために、いくつかのムラを補正する手段を持った画像表示装置が発売されているが、いずれの既存装置においてもムラの補正量は一定になっている。しかしながら、表示素子で発生するムラは表示素子の温度などに大きく影響され、一定の補正量では完全に補正し切れないという問題があった。
【００１３】
本発明はかかる課題を解決するためになされたもので、表示ムラが発生してしまう表示素子を用いる場合においても、発生したムラを補正しムラのない均一な画像の表示を実現し、その均一な画像がいかなる条件下においても同様に得られることようにすることである。つまり、図６に示すような画像表示システムにおいて、使用者が所望する画面全域に渡って均一な画像を常時表示できる画像表示装置を提供することを目的とする。
【課題を解決するための手段】
【００１４】
本発明は上記の課題を解決するためになされたもので、請求項１に記載の発明は、複数のフレームからなる画像信号、その画像信号に対応する同期信号よりなる複合画像信号を受信し、それぞれの信号を出力する信号入力手段と、前記信号入力手段から入力された信号を表示素子で表示可能な信号に変換する表示用信号生成手段と、表示素子のムラを補正するためのムラ補正手段と、表示装置の状態を検出する装置状態検出手段と、前記装置状態検出手段の検出結果に基づいて前記ムラ補正手段を制御する信号を出力する演算手段と、前記ムラ補正手段によって補正された複合画像信号を受信し、該複合画像信号から正味の画像信号を取り出して表示する表示手段とを備えることを特徴とする画像表示装置である。
【００１５】
また、請求項２に記載の発明は、前記装置状態検出手段は、装置の向きを検出する装置向き検出手段を有することを特徴とする請求項１に記載の画像表示装置である。
【００１６】
また、請求項３に記載の発明は、前記装置状態検出手段は、装置の温度を検出する装置温度検出手段を有することを特徴とする請求項１または２に記載の画像表示装置である。
【００１７】
また、請求項４に記載の発明は、前記装置状態検出手段は、装置の動作時間を検出する装置動作時間検出手段を有することを特徴とする請求項１から３の何れか一項に記載の画像表示装置である。
【００１８】
また、請求項５に記載の発明は、前記演算手段は、予め装置状態に応じたムラ補正条件を記憶する記憶手段を持ち、当該補正条件と装置状態検出手段で検出した装置の状態を比較し、最適なムラ補正条件を選択して出力することを特徴とする請求項１から４の何れか一項に記載の画像表示装置である。
【００１９】
また、請求項６に記載の発明は、前記演算手段は、予め装置状態に応じたムラ補正条件の一部を記憶する記憶手段を持ち、当該補正条件と装置状態検出手段で検出した装置の状態を比較し、近似の装置状態における補正条件同士から演算することで最適なムラ補正条件を出力することを特徴とする請求項１から４の何れか一項に記載の画像表示装置である。
【００２０】
また、請求項７に記載の発明は、前記演算手段は、予め装置状態に応じたムラ補正条件を導き出す演算式を記憶する記憶手段を持ち、装置状態検出手段で検出した装置の状態に基づいて、最適なムラ補正条件を演算で導き出し出力することを特徴とする請求項１から４の何れか一項に記載の画像表示装置である。
【００２１】
また、請求項８に記載の発明は、前記演算手段は、ムラ補正量を変更するタイミングを外部から得るための入力手段を有することを特徴とする請求項１から７の何れか一項に記載の画像表示装置である。
【００２２】
また、請求項９に記載の発明は、前記演算手段は、前記装置状態検出手段の検出結果を監視し、表示手段で発生するムラを軽減するようにムラ補正手段を常時制御することを特徴とする請求項１から７の何れか一項に記載の画像表示装置である。
【００２３】
また、請求項１０に記載の発明は、前記演算手段は、装置状態検出手段の検出結果を監視し、装置の状態が前回補正を実施した際の装置状態から一定量の差が出たときに、表示手段で発生するムラを軽減するように補正するようにムラ補正手段を制御することを特徴とする請求項１から７の何れか一項に記載の画像表示装置である。
【００２４】
また、請求項１１に記載の発明は、前記演算手段は、外部から与えられた制御信号と装置状態検出手段の検出結果とに基づいて表示手段で発生するムラを軽減するようにムラ補正手段を制御することを特徴とする請求項１から７の何れか一項に記載の画像表示装置である。
【発明の効果】
【００２５】
本発明によれば、使用者が所望する画面全域に渡って均一な画像を常時表示できる画像表示装置を提供することが可能となる。
【発明を実施するための最良の形態】
【００２６】
以下、図面を用いて本発明における画像表示装置の実施形態のいくつかを詳細に説明する。本発明の第１の実施形態の適用対象となる画像表示システムは、従来例として示した図６のものと、基本的に構成を共通にしている。図６において、この画像表示システムは画像信号発生装置１１と画像信号発生装置１１に含まれる画像信号発生手段１２と画像表示装置１３で構成されている。ここでは、図に示すように画像信号発生装置１１から出力された画像信号は、画像表示装置１３に接続され表示されている。
【００２７】
以下、この画像表示システムの動作について説明する。画像信号発生装置１１は、画像表示装置１３の有する表示手段に実際に表示される正味の画像信号およびこの画像信号に対応する同期信号を出力する（以下、これらの出力信号を総称して複合画像信号という）。
【００２８】
画像信号発生装置１１から出力された複合画像信号は、伝送に適したフォーマットで出力され、画像表示装置１３に与えられる。画像表示装置１３は、受信した複合画像信号を処理しやすいフォーマットに変換し、表示に適した処理を行った上で表示手段に表示する。
【００２９】
第１の実施形態の画像表示システム内で画像信号発生装置１１に関しては、従来から用いられている装置と動作自体に相違がないためにここでは説明を省略し、画像表示装置１３に関して複合画像信号の受信から画像表示に至るまでの画像表示装置の動作について述べる。
【００３０】
すなわち、第１のステップで、画像信号発生装置１１から出力された伝送に適したフォーマットの複合画像信号を受信し、装置内で処理のしやすいフォーマットへの変換を行う。次に第２のステップで、受信した画像信号に対して、ムラの補正などの表示に適した処理を行う。
【００３１】
なお、第２のステップにおいては、詳細は後述するが、ムラの補正に対し、以下に述べるステップを含んでいる。先ず、(a)外部より補正したい量を入力あるいは内部の記憶装置から読み出し、(b)補正したい量を内部で使用する補正量に変換し、(ｃ)各補正回路において補正量に応じた補正を行う。
【００３２】
そして、第３のステップで、第２のステップで処理をされた画像信号を表示手段で表示するためのフォーマットに変換して表示手段に入力し、表示手段で画像を表示する。
【００３３】
以下、図面を参照しながら、第１の実施形態をさらに詳細に説明する。図１は図６で示された画像表示装置１３の内部構造を示すブロック図である。図１に示すように、本画像表示装置は、信号入力手段２１、表示用信号生成手段２２、ムラ補正手段３１、装置状態検出手段３２、演算手段３３及び表示手段２４によって構成されている。
【００３４】
また、Ｖｉは信号入力手段２１より出力される画像信号、Ｖｓは表示用信号生成手段２２で生成された画像信号、Ｖｄはムラ補正手段３１によって補正された画像信号、Ｄｔは装置状態検出手段３２で検出した装置の状態を示す信号であり、ＣｔはＤｔに基づいて演算手段３３から出力されたムラ補正の量を示す信号である。
【００３５】
次に図１および図６に示す画像表示装置の動作について説明する。
【００３６】
図２は画像表示装置１３を横置きした場合と縦置きした場合それぞれの表示位置による飽和時の温度分布を仮想的に示したものである。この図において色の濃い部分が温度の高い部分を示しており、図を見ても明白なように上部になるほど温度が高くなり、画面内で温度は一定ではない。
【００３７】
図３は画像表示装置１３を横置きにした状態から縦置きに変化させた場合のそれぞれの位置における表示位置による温度分布の遷移を仮想的に示したものである。この図においても図２と同様に色の濃い部分が温度の高い部分を示しており、横置きの飽和状態から縦置きの飽和状態に至るまでの間に図で示したように温度分布の過渡的な状態が発生している。
【００３８】
図４は画像表示装置１３を横置きにした状態で、表示装置の電源を起動し飽和状態に至るまでの表示位置による温度分布の遷移を仮想的に示したものである。図で示したように温度分布は経過時間ごとに徐々に飽和状態に近づいている。
【００３９】
以下、図を参照しながら画像表示装置の動作について説明する。図１及び図６に示したように、画像表示装置１３は複合画像信号を信号入力手段２１で受信する。この際の複合画像信号は画像信号発生装置１１から画像表示装置１３までの伝送に用いられるために、伝送に適したフォーマットを有しており、一般的にはアナログビデオ信号と同期信号の組み合わせによるアナログＲＧＢ信号や、ＤＶＩ規格で示されているシリアルデジタル信号などが用いられる。信号入力手段２１は受信した伝送に適したフォーマットの複合画像信号を、処理しやすい形式の複合画像信号に変換する。ここで処理のしやすいフォーマットとは、以降の手段の方式がアナログであればアナログ信号、デジタル方式であれば並列デジタル信号が用いられることが一般的である。ここでは説明の簡易化のためにデジタル方式のみ説明するが、以下特記していない限りアナログ方式でも構成に変化はない。
【００４０】
信号入力手段２１でフォーマットを変換する方式としては、受信した複合画像信号がアナログ信号である場合にはクロック信号を再生するための位相固定回路（以下、ＰＬＬという）などのクロック再生回路を含むアナログ−デジタル変換回路（以下、ＡＤＣ回路という）を用いることが一般的であり、シリアルデジタル信号では受信信号に特有のデコード回路を用いることが一般的である。また、それぞれの回路を持つことでアナログ、デジタルのいずれのフォーマットでも受信できるようになることは当然である。
【００４１】
信号入力手段２１は、処理しやすい方式に変換した複合画像信号Ｖｉを表示用信号生成手段２２に出力する。
【００４２】
表示用信号生成手段２２は、信号入力手段２１から入力された複合画像信号Ｖｉに対し、表示手段２４で表示するのに適した信号に変換を行う。具体的にはＬＣＤなどのマトリクス型表示装置においては画像信号の解像度を表示素子の解像度に変換するスケーリングや、画像信号の周波数を表示素子で受信可能な範囲に変換する周波数変換などが行われるが、必要とされる変換内容は使用する表示素子により異なる。
【００４３】
表示用信号生成手段２２は、表示手段で表示するのに適した形式に変換した画像信号Ｖｓをムラ補正手段３１に出力する。
【００４４】
装置状態検出手段３２では、表示装置の状態を検出する。ここで表示装置の状態とは、表示手段２４に発生するムラの状態を遷移させる要素を指している。ムラの状態遷移に影響する要素としては表示素子の温度が最も支配的であり、表示素子内の温度分布を変化させる要因を検出することで、ムラの状態遷移を補正することが可能になる。
【００４５】
表示素子内の温度分布を変化させる一つの要因としては、表示装置を置く向きが挙げられる。図２では、それぞれの装置向きの温度分布を仮想的に示した。図を見ても明らかなように上部ほど温度が高く、温度によって影響を受けるムラは上部と下部で異なることとなる。
【００４６】
装置状態検出手段３２に装置向きを検出する手段を設けることでそれぞれの状態に合わせたムラの補正を行うことができる。装置の向きを検出する手段としては、一般的には加速度センサを使用する方法や、傾きセンサを用いる方法が挙げられるが、ここでは画像装置の向きを検出することを目的としており、画像表示装置があまり斜めでは使用されないことを考えると、比較的精度の低いセンサでも活用が可能である。
【００４７】
前述したように画面内の温度分布は、表示装置の向きによって異なるためにそれに応じた補正を行うことで表示素子に発生するムラは低減できる。しかしながら、画面向きを変えたとき表示画面内の温度は急に変わるものではなく、図３に示したように過渡的な状態が存在する。表示装置が横置きの場合と縦置きの場合の２通りだけを想定して補正を行うと、温度分布が過渡的な状態では表示素子の温度分布によるムラの発生と、補正しようとするムラの補正量との間に誤差が生じてしまう。
【００４８】
ここで、装置状態検出手段３２に装置動作時間検出手段を設け、表示装置の向きが変わってからの動作時間を知ることで過渡的な状態を知ることが可能となり、より正確な補正が実現できる。温度分布が飽和するまでの時間は表示素子のサイズや容量、材料によって異なるため、表示素子それぞれに異なった補正値を設定することが必要となる。
【００４９】
また、頻繁に装置向きを変えるような場合には、飽和状態に至らない場合が想定される。その場合にはそれぞれの向きで使用された時間及び飽和状態に至るまでの時間の加減算による過渡状態の推定が可能であり、そのような場合でも正確な補正は実現できる。
【００５０】
図４では、画像表示装置１３の電源起動時から飽和状態にいたるまでの温度分布を示しており、図を見ても明白なように温度分布は急に変わるものではなく、経過時間ごとに徐々に飽和状態に近づいていく。この状態遷移についても前述の向きの変化と同様に経過時間と連動させることでより正確な補正を実現できる。
【００５１】
さらに、電源起動時の状態遷移の補正においては、電源オフ時間を検出しておくことで逆方向の状態遷移の推測が可能であり、再起動時の補正開始状態をオフ時間に対応させることでさらに正確な補正を実現できる。
【００５２】
この電源起動後の状態遷移の補正については、装置内の温度から推測することも可能である。装置内の温度は電源起動後の時間とともに上昇し、オフ後の経過時間とともに下降するため、動作経過時間とオフ時間の推定が可能である。この方法を用いると、表示装置の電源が入っていない状態に経過時間を計測することが必要なくなり、電源オフ時の無駄な電力の削減にも効果がある。
【００５３】
また、装置内部温度と経過時間を連動させることで、さらに複雑な温度分布の遷移をする表示素子でも状態遷移の推測が可能となり正確な補正を実現することが可能となる。
【００５４】
以上述べてきたように、装置状態検出手段３２では装置の向き、動作時間や装置内温度を検出し、その結果Ｄｔを演算手段３３に出力する。
【００５５】
演算手段３３は、前述のように装置状態検出手段３２から入力された装置状態情報Ｄｔに基づいて、ムラの補正を行うべき量Ｃｔを求めてムラ補正手段３１に出力する。以下にいくつかの実現手段を述べる。
【００５６】
第一の方法として、装置状態検出手段３２において検出される状態すべての条件におけるムラの補正値を予めすべて記憶しておき、入力された装置状態情報Ｄｔに基づいて使用する補正値を選択して使用する方法がある。この方法では、ムラが無作為に発生しやすい表示装置では細かな設定が可能なために有効な方法であるが、反面記憶領域が多く必要になる。
【００５７】
第二の方法として、装置状態検出手段３２において検出される状態の代表的な条件におけるムラの補正値を予め記憶しておき、入力された装置状態情報Ｄｔが予め設定された装置状態の間にある場合にはいくつかの近似の装置状態におけるムラの補正値から補間法などの手段により生成されたムラの補正値を使用する方法である。この方法では前述の第一の方法と比較して記憶領域は小さくて済み、装置状態に対するムラの温度推移などのように連続性を持って発生する場合に有効な方法である。反面、ムラの補正値の記憶は必要であるため、ある程度の記憶領域は必要となる。
【００５８】
第三の方法として、装置状態検出手段３２において検出される状態を変数として用いる演算式を予め持つ方法がある。この方法では前述の二つの方法と比較して、記憶領域がほとんど必要ないという利点がある。反面、演算式によってムラの補正値を求めることから、ムラの状態遷移が線形に遷移していないと誤差の大きな補正になる。
【００５９】
ムラ補正手段３１は、表示用信号生成手段２２から入力された画像信号Ｖｓに対し、表示手段で表示する位置に対応したムラの補正量Ｃｔに基づいて画像信号を補正し、表示手段２４で使用可能な信号形式に変換して出力する。表示する位置は同期信号と画像信号の時間関係から算出できるので、その算出結果に対応させて補正を行うことが一般的である。また、表示手段に出力する信号の形式はＬＣＤにおいてはＬＶＤＳというデジタルシリアル信号が一般的である。
【００６０】
補正を行うムラは、輝度ムラ、色ムラ、ガンマ特性ムラが考えられ、以下にそれぞれの代表的な補正方法を述べるが、以下はあくまでも代表例でありその他の手段を用いた補正でもムラを補正する目的に用いることが可能であれば同様の効果が得られる。
【００６１】
まず、輝度ムラの補正について説明する。輝度ムラは画面内の輝度の均一性が崩れるものであり、画像信号の増幅率の制御によって補正をすることが一般的である。その場合画面内各位置における画像信号の増幅率を変えることでムラの補正とする。
【００６２】
次に色ムラの補正について説明する。色ムラは画面内の色合いの均一性が崩れるものであり、画像信号のＲＧＢの増幅率を変化させることによって補正を実現するのが一般的である。その場合、画面内各位置における画像信号のＲＧＢの増幅率のバランスを変えることでムラの補正とする。
【００６３】
最後にガンマ特性ムラの補正について説明する。ガンマ特性ムラは画面内のガンマ特性の均一性が崩れるものであり、画像信号の増幅率を入力信号のレベルにあわせて変化させることで補正を実現するのが一般的である。その場合、画面内各位置における画像信号のレベル毎の増幅率を変えることでムラの補正とする。
【００６４】
表示手段２４は、上記ムラ補正手段３１より出力された画像信号Ｖｄを受信し、画像を表示する。
【００６５】
以上説明の中では、ムラ補正手段３１を表示用信号生成手段２２の後段において説明を行った。この位置関係が逆の場合でも同様の効果があるが、その場合でも基本的な動作は同様であるので、ここでは説明は省略する。
【００６６】
第１の実施形態の画像表示装置の構成によれば、図６のような画像表示システムにおいて、使用条件が変化をしても表示装置で発生するムラの補正を所定のレベルで実現することが可能となり、これによってさまざまな条件で使用している場合でもムラの少ない良好な画質で表示可能な画像表示システムを提供することが可能となる。また、画像信号に対する直接的な処理で実現しているために、補正を行うための特別な手段を設ける必要がなく、比較的低価格に実現することが可能である。
【００６７】
以下図面を参照しながら、第２の実施形態の動作について説明する。画像表示システムの全体の構成は第１の実施形態と同様であり、図６の画像表示システムの動作と画像表示装置１３の概略の動作については第１の実施形態と同様であるのでここでは説明を省略する。
【００６８】
以下、図を用いて第２の実施形態の詳細の構成および動作について説明する。図５は、第２の実施形態の画像表示装置の内部構成を示すブロック図である。図５に示すように、本画像表示装置は、信号入力手段２１、表示用信号生成手段２２、ムラ補正手段Ａ７１、装置状態検出手段３２、演算手段７２、ムラ補正手段Ｂ７３及び表示手段７４によって構成されている。
【００６９】
また、Ｖｉは信号入力手段２１から出力される画像信号、Ｖｓは表示用信号生成手段２２で生成された画像信号、Ｖｂはムラ補正手段Ａ７１で補正された画像信号、Ｄｔは装置状態検出手段３２で検出された装置状態を示す情報、Ｃｂ/Ｃｃは演算手段７２で生成されたムラ補正を行う補正量を示す情報、Ｃｌはムラ補正手段Ｂ７３で生成したムラ補正量である。
【００７０】
次に図５に示す画像表示装置の詳細の動作について図を用いて説明する。ここで、信号入力手段２１、表示用信号生成手段２２および装置状態検出手段３２については、第１の実施形態と同様であるのでここでは説明を省略する。
【００７１】
演算手段７２の動作は、前述の第１の実施形態における演算手段３３とほとんど同一であるが、ムラ補正手段の実現方法が第１の実施形態とは異なるため、出力形式は異なる。ムラ補正手段Ａ７１へはガンマ特性ムラ及び色ムラの補正量情報を出力し、ムラ補正手段Ｂ７２には輝度ムラの補正量に関する情報を出力する。
【００７２】
ムラ補正手段Ａ７１は、第１の実施形態におけるムラ補正手段３１とは輝度ムラ補正手段を持たない点が異なり、その他は同様であるので、ここでは説明を省略する。
【００７３】
表示手段７４は、ムラ補正手段Ａ７１から出力された画像信号Ｖｂに基づいて画像信号の表示を行うが、この表示手段７４はその明るさを画面位置のマトリクス状に制御することを可能としている。具体的には直下型のバックライトを持つＬＣＤなどで、バックライトの光量を個別に調整可能なものを指す。
【００７４】
ムラ補正手段Ｂ７２は、表示手段７４で発生する輝度ムラについて表示手段７４の持つバックライトなどの輝度制御手段を用いて補正を行うため、補正量はバックライトごとに指定される。
【００７５】
第２の実施形態の画像表示装置の構成によれば、図６のような画像表示システムにおいて、使用条件が変化をしても表示装置で発生するムラの補正を所定のレベルで実現することが可能となり、これによってさまざまな条件で使用している場合でもムラの少ない良好な画質で表示可能な画像システムを提供することが可能となる。また、ムラの多くを占める輝度ムラについてバックライトを用いて補正を行うために、画像信号に対する補正量が少なくて済み、補正による分解能の低下などの問題を招きにくいという利点がある。
【００７６】
なお、演算手段の内にムラ補正量を変更するタイミングを外部から得るための入力手段を設けるようにしても良い。また、演算手段は、装置状態検出手段の検出結果を監視し、表示手段で発生するムラを軽減するようにムラ補正手段を常時制御するようにしても良い。また、演算手段は、装置状態検出手段の検出結果を監視し、装置の状態が前回補正を実施した際の装置状態から一定量の差が出たときに、表示手段で発生するムラを軽減するように補正するようにムラ補正手段を制御するようにしても良い。また、演算手段は、外部から与えられた制御信号と、装置状態検出手段の検出結果とに基づいて表示手段で発生するムラを軽減するようにムラ補正手段を制御するようにしても良い。
【図面の簡単な説明】
【００７７】
【図１】本発明の第１の実施形態における画像表示装置の構成を示すブロック図である。
【図２】画像表示装置の温度分布を示す温度分布図である。
【図３】画像表示装置の向きを変えることによる温度分布の変化を示す温度分布遷移図である。
【図４】画像表示装置の電源起動後の温度分布の変化を示す温度分布遷移図である。
【図５】本発明の第２の実施形態における画像表示装置の構成を示すブロック図である。
【図６】従来の技術と本発明の実施形態とに共通の画像表示システムの構成を示す構成図である。
【図７】従来の技術における画像表示装置の構成を示すブロック図である。
【符号の説明】
【００７８】
２１…信号入力手段、  ２２…表示用信号生成手段、  ３１…ムラ補正手段、  ２４…表示手段、  ３２…装置状態検出手段、  ３３…演算手段
【図１】
2007178709.tif 000003
【図２】
2007178709.tif 000004
【図３】
2007178709.tif 000005
【図４】
2007178709.tif 000006
【図５】
2007178709.tif 000007
【図６】
2007178709.tif 000008
【図７】
2007178709.tif 000009